(57)【要約】【課題】足場ボルトとは別の箇所に電柱設置機器を吊下可能にすることにより、その電柱設置機器の設置に適さない電柱にも有効利用可能に設置することを実現して、電柱設置機器の使用可能な範囲を広げることのできる電柱設置機器用補助具を提供すること。【解決手段】電柱Ｄの外周面に固設されている足場ボルトＢを吊金具１０３の係合穴に挿通して吊り下げる状態に取り付ける電柱昇降器１００の該足場ボルトＢへの取付を補助する補助具１０であって、電柱昇降器の吊金具の係合穴に挿通して蝶ネジ１６を螺合させることにより吊下可能に係合可能なボルト１５が立設されているホルダ１１と、該ホルダが中間に取り付けられているとともに荷重に応じて変形可能なワイヤ１２と、該ワイヤの両端側に配設されて電柱の足場ボルトに引っ掛ける引掛部１７と、を備える。【選択図】図３
2007143232.tif 000002
【特許請求の範囲】
【請求項１】
電柱の外周面に固設されている足場ボルトに吊り下げる状態に取り付ける電柱設置機器の該足場ボルトへの取付を補助する補助具であって、
電柱の足場ボルトに係合させる電柱設置機器の係合部に係合させて該電柱設置機器を吊下可能な吊下部と、該吊下部が中間に取り付けられているとともに荷重に応じて変形可能な線状部材と、該線状部材の両端側に配設されて電柱の外周面に固設されている足場ボルトに引っ掛ける引掛部と、を備えることを特徴とする電柱設置機器用補助具。
【請求項２】
前記吊下部は、電柱設置機器の係合部を離脱不能に係合可能な構造に設計されていることを特徴とする請求項１に記載の電柱設置機器用補助具。
【請求項３】
前記吊下部は、線状部材の両端間を自在にスライド可能に該線状部材に取り付けられていることを特徴とする請求項１または２に記載の電柱設置機器用補助具。
【請求項４】
前記吊下部は、線状部材をスライド自在に挿通して保持する保持部が離隔する２箇所に設置されていることを特徴とする請求項３に記載の電柱設置機器用補助具。
【請求項５】
前記吊下部は、湾曲形状に形成されて線状部材を離脱不能に収装する溝部を備えることを特徴とする請求項１から４のいずれかに記載の電柱設置機器用補助具。
【請求項６】
前記引掛部は、荷重に応じて変形可能なリング形状に形成されているとともに、引っ掛けた足場ボルトのヘッドよりも幅狭に変形することを制限する部材が該リング形状内に内装されていることを特徴とする請求項１から５のいずれかに記載の電柱設置機器用補助具。
【請求項７】
前記吊下部は、電柱に固設されている足場ボルトと地面との間を昇降するために該足場ボルトに係合させる電柱昇降器の係合部に、該足場ボルトに代えて挿通する棒状部材を備えていることを特徴とする請求項１から６のいずれかに記載の電柱設置機器用補助具。
【発明の詳細な説明】
【技術分野】
【０００１】
本発明は、電柱設置機器用補助具に関し、詳しくは、電柱の足場ボルトに吊り下げる電柱設置機器を、その足場ボルトの位置による制限なく電柱の外周面に取付可能にするものに関する。
【背景技術】
【０００２】
従来より、電柱の外周面には足場ボルトが固設されており、その足場ボルトを利用することにより作業者が電柱の登り降りをすることができる。しかるに、この足場ボルトは、作業者の体重を支えるために一定以上の強度が必要であるために金属製であるのが一般的であり、そのために、歩行者などの頭などがぶつからないように、通常、１．８ｍ以上の高さの電柱の外周面に固設されている。
【０００３】
このことから、電柱に作業者が登る際には、一般的な梯子を利用してもよいが、簡易に携行することができてその足場ボルトに引っ掛けることのできる各種の昇降器（電柱設置機器）が多用されている（例えば、特許文献１〜３参照）。
【特許文献１】実開平５−９６３９９号公報
【特許文献２】実開平６−４９６９９号公報
【特許文献３】実用新案登録３０５０８７２号公報
【発明の開示】
【発明が解決しようとする課題】
【０００４】
しかしながら、このような従来の昇降機にあっては、足場ボルトに直接引っ掛ける構成であることから、その足場ボルトの設置側が壁などである場合には、その昇降機を足場ボルトに取り付けることができても、作業者が登ることができないなどの不都合が生じる場合があった。
【０００５】
そこで、本発明は、足場ボルトとは別の箇所に電柱設置機器を吊下可能にすることにより、その電柱設置機器の設置に適さない電柱にも有効利用可能に設置することを実現して、電柱設置機器の使用可能な範囲を広げることのできる電柱設置機器用補助具を提供することを目的とする。
【課題を解決するための手段】
【０００６】
上記課題を解決する電柱設置機器用補助具の第１の発明は、電柱の外周面に固設されている足場ボルトに吊り下げる状態に取り付ける電柱設置機器の該足場ボルトへの取付を補助する補助具であって、電柱の足場ボルトに係合させる電柱設置機器の係合部に係合させて該電柱設置機器を吊下可能な吊下部と、該吊下部が中間に取り付けられているとともに荷重に応じて変形可能な線状部材と、該線状部材の両端側に配設されて電柱の外周面に固設されている足場ボルトに引っ掛ける引掛部と、を備えることを特徴とするものである。
【０００７】
この発明では、線状部材の中間部分の吊下部に電柱設置機器の係合部を係合させるとともに、線状部材の両端側の引掛部を電柱の２箇所に固設されている足場ボルトに引っ掛けることにより（作業順序はどちらでも良い）、その電柱設置機器を吊り下げることができる。したがって、足場ボルトに係合させる係合部を利用して、その足場ボルトの固設箇所以外に電柱設置機器を吊り下げることができる。
【０００８】
上記課題を解決する電柱設置機器用補助具の第２の発明は、上記第１の発明の特定事項に加え、前記吊下部は、電柱設置機器の係合部を離脱不能に係合可能な構造に設計されていることを特徴とするものである。
【０００９】
この発明では、電柱設置機器の係合部を離脱不能に吊下部に係合させた状態で、この吊下部に取り付けられている線状部材の両端側の引掛部を足場ボルトに引っ掛けることができる。したがって、電柱設置機器を利用して、引掛部を電柱の足場ボルト近傍まで持って行って容易に引っ掛けることができる。
【００１０】
上記課題を解決する電柱設置機器用補助具の第３の発明は、上記第１または第２の発明の特定事項に加え、前記吊下部は、線状部材の両端間を自在にスライド可能に該線状部材に取り付けられていることを特徴とするものである。
【００１１】
この発明では、線状部材の両端側の引掛部に対して吊下部をその延在方向の任意の箇所にスライドさせて電柱設置機器を吊り下げることができる。したがって、例えば、高さの異なる２箇所の足場ボルトに引掛部を引っ掛けた場合でも、線状部材の最下の位置で湾曲する箇所に吊下部をスライドさせて電柱設置機器を安定する状態で吊り下げることができる。
【００１２】
上記課題を解決する電柱設置機器用補助具の第４の発明は、上記第３の発明の特定事項に加え、前記吊下部は、線状部材をスライド自在に挿通して保持する保持部が離隔する２箇所に設置されていることを特徴とするものである。
【００１３】
この発明では、吊下部の２箇所の保持部に線状部材の両端側の引掛部を近接させた状態にスライドさせることができ、その吊下部の保持部に線状部材が吊り下げられた状態にして、電柱の足場ボルトにその引掛部を引っ掛ける作業を行うことができる。したがって、一方の引掛部を一つの足場ボルトの近傍まで持って行って容易に引っ掛けた後に、保持部内で線状部材をスライドさせつつ他方の引掛部の位置を変えて、もう一つの足場ボルトの近傍まで持って行って容易に引っ掛けることができる。
【００１４】
上記課題を解決する電柱設置機器用補助具の第５の発明は、上記第１から第４のいずれかの発明の特定事項に加え、前記吊下部は、湾曲形状に形成されて線状部材を離脱不能に収装する溝部を備えることを特徴とするものである。
【００１５】
この発明では、電柱の足場ボルトに両端側の引掛部が引っ掛けられた線状部材には、吊下部を介して電柱設置機器や作業者の荷重が掛かる。このとき、その線状部材は、電柱設置機器などの荷重により、吊下部の溝部内に離脱不能に収装されて、その溝部の形状に沿うように湾曲する。したがって、線状部材が不用意に外れて（ずれて）しまうことを回避することができるとともに、再利用不能に屈折してしまうことを防止することができる。
【００１６】
上記課題を解決する電柱設置機器用補助具の第６の発明は、上記第１から第５のいずれかの発明の特定事項に加え、前記引掛部は、荷重に応じて変形可能なリング形状に形成されているとともに、引っ掛けた足場ボルトのヘッドよりも幅狭に変形することを制限する部材が該リング形状内に内装されていることを特徴とするものである。
【００１７】
この発明では、電柱の足場ボルトに引っ掛けられた線状部材の両端側の引掛部には、吊下部を介して電柱設置機器や作業者の荷重が掛かる。このとき、その引掛部は、電柱設置機器などの荷重により、足場ボルトの外面に接近する方向にリング形状が変形しようとするが、その足場ボルトのヘッドよりも小さな幅狭に変形することが制限される。したがって、引掛部を足場ボルトに引っ掛ける際に、その引掛部のリング形状が足場ボルトのヘッドよりも小さくなって引っ掛け難くなってしまうことを防止することができる。
【００１８】
上記課題を解決する電柱設置機器用補助具の第７の発明は、上記第１から第６のいずれかの発明の特定事項に加え、前記吊下部は、電柱に固設されている足場ボルトと地面との間を昇降するために該足場ボルトに係合させる電柱昇降器の係合部に、該足場ボルトに代えて挿通する棒状部材を備えていることを特徴とするものである。
【００１９】
この発明では、電柱昇降器の係合部に吊下部の棒状部材を挿通・係合させて吊り下げることができる。したがって、足場ボルトの固設箇所以外に電柱昇降器を吊り下げることができる。
【発明の効果】
【００２０】
このように本発明によれば、電柱の２箇所の足場ボルトに線状部材の引掛部を引っ掛けて吊下部を介して電柱設置機器を足場ボルトの固設箇所以外に吊り下げることができる。したがって、例えば、足場ボルトの固設位置が電柱設置機器を有効利用不能な場所である場合でも、その足場ボルトと異なる箇所にその電柱設置機器を設置して有効使用することができる。この結果、電柱設置機器の利用可能な範囲を広げることができる。
【発明を実施するための最良の形態】
【００２１】
以下、本発明の最良の実施形態を図面に基づいて説明する。図１〜図４は本発明に係る電柱設置機器の電柱昇降器用の補助具の一実施形態を示す図である。
【００２２】
図１において、電柱昇降器用補助具１０は、ホルダ１１およびワイヤ１２が組み立てられて作製されており、図２に示す電柱昇降器１００を図３に示す電柱Ｄの足場ボルトＢに間接的に設置して吊り下げることを補助するように設計されている。
【００２３】
ここで、電柱昇降器１００は、図２に示すように、主柱１０１と、蝶番１０２と、吊金具１０３と、足場１０４と、振れ止めバンド１０５と、バンド押さえ１０６と、滑り止め板１０７と、を備えて構成されている。
【００２４】
主柱１０１は、第１〜第３分柱１０１ａ〜１０１ｃに概略３分割されており、その第１、第２分柱１０１ａ、１０１ｂの間や第２、第３分柱１０１ｂ、１０１ｃｂの間が蝶番１０２によりそれぞれで屈折可能に連結されている。これにより、電柱昇降器１００は、蝶番１０２の位置で主柱１０１を屈折させてコンパクトに畳むことができる。
【００２５】
吊金具１０３は、主柱１０１の第１分柱１０１ａの先端に固設されており、主柱１０１側には足場ボルトＢのヘッドＨを挿通可能な径で開口する挿通穴１０３ａが形成されているとともに、主柱１０１から離隔する側には足場ボルトＢから離脱不能に足場部ｂのみを挿通可能な（ヘッドＨよりも小さな）径で開口する係合穴１０３ｂが形成されている。これにより、電柱昇降器１００は、電柱Ｄの足場ボルトＢのヘッドＨを吊金具１０３の挿通穴１０３ａに挿通してその足場部ｂを係合穴１０３ｂに係合させることができ、電柱Ｄと平行な鉛直の姿勢で主柱１０１を足場ボルトＢに脱落不能に吊り下げて設置することができる。
【００２６】
足場１０４は、主柱１０１の第１〜第３分柱１０１ａ〜１０１ｃの下端側で側方に突出するように配設されており、主柱１０１に沿うように上方に屈折させて畳むことができる。これにより、電柱昇降器１００は、作業者が３箇所の足場１０４に順次に足を掛けることにより電柱Ｄの足場ボルトＢの設置高さまで登ることを容易にする。なお、この足場１０４は、作業者が両手で把持可能に最上部の位置のみに両側方に設置されている。
【００２７】
振れ止めバンド１０５は、主柱１０１の第２、第３分柱１０１ｂ、１０１ｃの上側にバンド押さえ１０６により取り付けられており、電柱Ｄに巻き付けることができる。これにより、電柱昇降器１００は、作業者が登る際に、主柱１０１が振れてしまうことを防止する。
【００２８】
滑り止め板１０７は、足場１０４付近の背面側に配設されており、電柱Ｄ側にゴム材料などの滑り止め材料が固着されている。これにより、電柱昇降器１００は、作業者が足場１０４を利用して登る際に、電柱Ｄの外周面に滑り止め材料を圧接させて横ずれなどしてしまうことを防止する。
【００２９】
この電柱昇降器１００に対して電柱昇降器用補助具１０は、電柱Ｄの足場ボルトＢに代えて、電柱昇降器１００の吊金具１０３の係合穴１０３ｂ内に挿通可能なボルト（棒状部材）１５がホルダ１１の一面側に立設されているとともに、そのホルダ１１をワイヤ１２が吊り下げるように設計・組立されており、このワイヤ１２の両端側には電柱Ｄの足場ボルトＢを挿通可能にリング形状に形成された引掛部１７が連設されている。すなわち、ホルダ１１が電柱昇降器１００の吊金具１０３に係合して吊り下げる吊下部を構成するとともに、ワイヤ１２が両端側に電柱Ｄの外周面に固設されている足場ボルトＢに引っ掛ける引掛部１７を形成されて荷重に応じて変形する線状部材を構成している。
【００３０】
これにより、電柱昇降器用補助具１０は、図３に示すように、電柱Ｄの足場ボルトＢ（足場部ｂ）と同様に、ホルダ１１のボルト１５を電柱昇降器１００の吊金具１０３の係合穴１０３ｂ内に挿通して蝶ネジ１６を螺合させることにより離脱不能に取り付けることができ、また、ワイヤ１２の両端側の引掛部１７をその電柱Ｄの外周面の反対側に固設されている足場ボルトＢに引っ掛けることにより電柱昇降器１００（主柱１０１）を電柱Ｄと平行な鉛直の姿勢で間接的に足場ボルトＢに吊り下げた状態に設置することができる。これによって、その電柱昇降器１００は、足場１０４を利用して電柱Ｄの足場ボルトＢの設置高さまで登る際に利用することができる。なお、このときには、振れ止めバンド１０５は電柱Ｄに巻き付けることができ、また、滑り止め板１０７は電柱Ｄの外周面に滑り止め材料を圧接させて、作業者が登る際に主柱１０１を安定させることができる。
【００３１】
また、この電柱昇降器用補助具１０のホルダ１１は、概略半月形状に形成されて湾曲形状の円弧部２１にワイヤ１２を沿わせるように設計されており、その円弧部２１にはワイヤ１２の横ずれを制限して離脱することなく収装可能な溝部２２が刻設されている。また、このホルダ１１は、円弧部２１の両端側の溝部２２の両岸部分に板部材２３が溶接などされて固設されており、その溝部２２と板部材２３により画成された両端側の２箇所の通路（保持部）内にワイヤ１２を自在にスライド可能な状態で外れないよう挿通させて吊り下げることができる。
【００３２】
これにより、電柱昇降器用補助具１０は、図４に示すように、両端側の引掛部１７をホルダ１１に接近させるようにワイヤ１２を円弧部２１の溝部２２内から引き出して２箇所の板部材２３との間で保持させることができ、その引掛部１７がワイヤ１２の先端でぶらぶらしてしまうことを制限した状態で取り扱うことができる。この状態で、ワイヤ１２の両端側の引掛部１７が上側に位置する姿勢のホルダ１１を、ボルト１５から外れてしまうことのないように係合させた電柱昇降器１００の主柱１０１を掴んで持ち上げることができ、ワイヤ１２の一方の引掛部１７を電柱Ｄの高い位置に固設されている足場ボルトＢに容易に引っ掛けることができる。この後には、同様に、そのまま電柱昇降器１００の主柱１０１を下げるのに応じて、ホルダ１１の円弧部２１の溝部２２と板部材２３の間からワイヤ１２がスライドされて引き出されることを許容しつつ他方の引掛部１７を電柱Ｄの反対側に固設されている足場ボルトＢに容易に引っ掛けることができる。
【００３３】
また、このように、電柱Ｄの足場ボルトＢにワイヤ１２を介して電柱昇降器１００を吊り下げた状態では、ホルダ１１はそのワイヤ１２の最下の位置にスライドすることができるとともに、そのワイヤ１２はホルダ１１の円弧部２１の溝部２２内で滑らかに湾曲する状態で収装保持されることにより、その電柱昇降器１００の足場１０４を使って作業者が登る際には、ワイヤ１２を電柱昇降器１００の吊金具１０３の係合穴１０３ｂに直接通した場合と異なって、作業者などの荷重によりそのワイヤ１２が鋭角に屈折して再利用不能になってしまうことがない。
【００３４】
さらに、電柱昇降器用補助具１０のワイヤ１２は、ワイヤ材料が電柱Ｄの足場ボルトＢを挿通可能にリング形状に形成した引掛部１７が両端側に配設されているが、その引掛部１７内には変形不能な金属リング２５が装着されており、その引掛部１７と金属リング２５との間に電柱Ｄの足場ボルトＢのヘッドＨを挿通するように設計されている。
【００３５】
これにより、電柱昇降器用補助具１０は、吊り下げた電柱昇降器１００に作業者が登ることによる荷重がワイヤ１２の引掛部１７に掛かったとしても、その引掛部１７のワイヤ材料が鋭角に屈折して幅狭に変形してしまうことを金属リング２５により制限することができ、電柱Ｄの足場ボルトＢのヘッドＨを挿通し難くなってしまうことを防止することができる。なお、この金属リング２５は、足場ボルトＢのヘッドＨを内部に挿通して引っ掛けるように設計してもよいことは言うまでもない。
【００３６】
このように本実施形態においては、電柱Ｄの２箇所の足場ボルトＢにワイヤ１２の引掛部１７を引っ掛けてホルダ１１に取り付けた電柱昇降器１００を足場ボルトＢ以外の箇所に吊り下げることができ、足場ボルトＢ側に壁があるような場合でも電柱昇降器用補助具１０を介して間接的に電柱昇降器１００を電柱Ｄに設置して使用することができる。したがって、従来には電柱昇降器１００が使用不能であった場所でも、電柱昇降器用補助具１０を使用するだけで利用可能にすることができ、作業者は電柱Ｄの足場ボルトＢの位置まで安全かつ容易に登ることができる。
【産業上の利用可能性】
【００３７】
これまで本発明の一実施形態について説明したが、本発明は上述の実施形態に限定されず、その技術的思想の範囲内において種々異なる形態にて実施されてよいことは言うまでもない。
【図面の簡単な説明】
【００３８】
【図１】本発明に係る電柱設置機器の電柱昇降器用の補助具の一実施形態を示す図であり、その概略全体構成を示す分解平面図である。
【図２】その補助具を利用する電柱昇降器の全体構成を示す図であり、（ａ）はその正面図、（ｂ）はその側面図である。
【図３】その補助具と電柱昇降器を電柱に取り付けた状態を示す立面図である。
【図４】その補助具の使用を説明する一部拡大正面図である。
【符号の説明】
【００３９】
１０……電柱昇降器用補助具    １１……ホルダ    １２……ワイヤ    １５……ボルト    １６……蝶ネジ    １７……引掛部    ２１……円弧部    ２２……溝部    ２３……板部材    ２５……金属リング    １００……電柱昇降器    １０１……主柱    １０１ａ〜１０１ｃ……分柱    １０２……蝶番    １０３……吊金具    １０３ａ……挿通穴    １０３ｂ……係合穴    １０４……足場    １０５……振れ止めバンド    １０６……バンド押さえ    １０７……滑り止め板    Ｂ……足場ボルト    ｂ……足場部    Ｄ……電柱    Ｈ……ヘッド
【図１】
2007143232.tif 000003
【図２】
2007143232.tif 000004
【図３】
2007143232.tif 000005
【図４】
2007143232.tif 000006